(57)【要約】【課題】意匠性に優れた商品表示用ラベルとその製造方法を提供する。【解決手段】本発明のラベル１は、白地のラベル本体２の表面に黒色で印刷した複数の文字４の周囲に、直線状のスリット５を隣り合うものと互いの長手方向端が近接するように配し、ラベル１を商品に貼り付けたときに、各スリット５を通して商品のラベル１に覆われた部位の色が視認でき、各スリット５が各文字４と一体になって一つの意匠を形成することにより、従来のものよりも意匠性が高まるようにした。また、その製造方法は、ラベル１を接着剤３で剥離紙Ｓに貼り付け、剥離紙Ｓとともにレーザ光線で焼き抜いてスリット５を空けることにより、紙くずを発生させることなくラベル１に細かい意匠を精度よく形成できるようにした。【選択図】図１
2010217510.tif 000002
【特許請求の範囲】
【請求項１】
商品表面に貼り付けられるラベルにおいて、複数のスリットが互いに近接するかまたは交差するように空けられており、これらの各スリットを通して前記商品のラベルに覆われる部位の色が視認可能で、かつ各スリットが所定の意匠または文字の少なくとも一部を形成していることを特徴とするラベル。
【請求項２】
少なくとも前記各スリットが空けられる部位が紙製であることを特徴とする請求項１に記載のラベル。
【請求項３】
請求項１または２に記載のラベルの製造方法において、前記スリットと同じ幅のレーザ光線でラベルを焼き抜くことによって前記スリットを空けることを特徴とするラベルの製造方法。
【請求項４】
前記スリットを空ける前に、裏面に接着剤を塗布したラベルを剥離紙に剥離可能に貼り付けておき、前記スリットを空けるときは、前記レーザ光線でラベルを剥離紙とともに焼き抜くことを特徴とする請求項３に記載のラベルの製造方法。
【発明の詳細な説明】
【技術分野】
【０００１】
本発明は、商品の一部をなす容器等の表面に貼り付けられる商品表示用のラベルとその製造方法に関する。
【背景技術】
【０００２】
一般に、商品の一部をなす容器等の表面に貼り付けられる商品表示用のラベルは、紙製で意匠や商品名等の文字の色付き表示によって加飾したものが多く、その意匠や文字の大きさ等によっては商品（容器）表面の大部分を覆ってしまうものもある。そこで、商品表面の色あるいは商品の透明容器に収容された内容物の色をアピールしようとするような場合には、ラベルを用いず、商品の表面に直接意匠や文字を表示することが多い。
【０００３】
しかし、上記のように商品表面に直接意匠や文字を表示した商品では、ラベルを用いたものに比べて商品全体の表示にかかるコストが非常に高くなるし、商品の容器自体が種々の用途に再利用可能であっても、その容器は表示内容に合った用途にしか使用できなくなる。
【０００４】
ところで、特許文献１には、植木鉢を包むラッピングラベルに円形の透孔を空けることにより、透孔を通して植木鉢の色を表示できるようにすることが記載されている。この技術を商品表示用のラベルに応用すれば、ラベルにある程度の大きさの透孔を空けて、その透孔から商品表面の色あるいは商品の透明容器内の内容物の色を表示することが考えられる。このようにすれば、商品表面に直接意匠や文字を表示する必要がなく、安価に商品の色をアピールすることができる。
【０００５】
しかしながら、上記特許文献１に記載されたラッピングラベルの透孔の形状は単純な円形であるため、これを商品表示用ラベルに応用したとしても、意匠性の点ではさらなる改善の余地があると考えられる。
【先行技術文献】
【特許文献】
【０００６】
【特許文献１】特開２００２−２１１６４０号公報（図６）
【発明の概要】
【発明が解決しようとする課題】
【０００７】
本発明の課題は、意匠性に優れた商品表示用ラベルとその製造方法を提供することである。
【課題を解決するための手段】
【０００８】
上記の課題を解決するために、本発明のラベルは、商品表面に貼り付けられるラベルにおいて、複数のスリットが互いに近接するかまたは交差するように空けられており、これらの各スリットを通して前記商品のラベルに覆われる部位の色が視認可能で、かつ各スリットが所定の意匠または文字の少なくとも一部を形成している構成とした。
【０００９】
すなわち、商品のラベルに覆われる部位の色を視認可能とするラベルの透孔を複数のスリットとし、これらの各スリットを互いに近接するかまたは交差するように空けて、各スリットで所定の意匠または文字の少なくとも一部を形成することにより、ラベルの意匠性を高められるようにしたのである。
【００１０】
ここで、少なくとも前記各スリットが空けられる部位を紙製とすれば、スリットが空けやすくなり、製造コストも安く抑えることができる。
【００１１】
また、本発明では、上記構成のラベルの製造方法において、前記スリットと同じ幅のレーザ光線でラベルを焼き抜くことによって前記スリットを空けるようにした。この製造方法によれば、切刃でラベルを切り抜いてスリットを空ける場合に比べて、切り抜かれた紙くずの処理が不要となる分コストの低減が図れるうえ、切刃の摩耗等によるスリット形状の乱れもなく、ラベルに所望の意匠を精度よく形成することができる。
【００１２】
さらに、上記製造方法においては、前記スリットを空ける前に、裏面に接着剤を塗布したラベルを剥離紙に剥離可能に貼り付けておき、前記スリットを空けるときは、前記レーザ光線でラベルを剥離紙とともに焼き抜くか、あるいはラベルのみを焼き抜き剥離紙を残すようにするとよい。このようにすれば、ラベルを商品に貼り付ける際に、スリットを有するラベルに接着剤を塗布するという面倒な工程を省略でき、貼り付け作業を効率よく行うことができる。また、接着剤がはみ出してラベルや商品が汚れるおそれもない。
【発明の効果】
【００１３】
本発明のラベルは、上述したように、複数のスリットを互いに近接するかまたは交差するように空けて、これらの各スリットを通して商品のラベルに覆われる部位の色を視認できるようにするとともに、各スリットで所定の意匠または文字の少なくとも一部を形成したものであるから、従来に比べて格段に意匠性に優れたものとすることができる。また、このラベルを貼り付けた商品は、表面に直接意匠や文字を表示した商品よりも安価に製造することができる。
【００１４】
また、本発明のラベルの製造方法では、少なくとも一部が紙製のラベルに対して、前記スリットと同じ幅のレーザ光線でラベルを焼き抜いてスリットを空けるようにしたので、後処理にコストのかかる紙くずを発生させることなく、ラベルに所望の意匠を精度よく形成することができる。
【図面の簡単な説明】
【００１５】
【図１】ａは第１実施形態のラベルの平面図、ｂはａの拡大平面図、ｃはｂのＣ−Ｃ線に沿った断面図
【図２】図１のラベルの使用状態の斜視図
【図３】第２実施形態のラベルの使用状態の斜視図
【発明を実施するための形態】
【００１６】
以下、図面に基づき、この発明の実施形態を説明する。図１および図２は第１の実施形態を示す。このラベル１は、図１（ａ）〜（ｃ）に示すように、ラベル本体２が紙製で、その裏面に接着剤３が塗布されており、裏面側を剥離紙Ｓに剥離可能に貼り付けられた状態で製品として保管されるものである。
【００１７】
前記ラベル本体２は、その白地の表面に商品名およびブランド名の文字４等が黒色で印刷されており、各文字４の周囲にスリット５が空けられている。そのスリット５は、各文字４を囲む仮想的な長方形の各辺に沿って延び、隣の辺に沿うものと互いの長手方向端が近接するように４本１組で配されている。各スリット５の幅Ｗは約０．５ｍｍで、後述するようにラベル１を商品に貼り付けたときに、各スリット５を通して商品のラベル１に覆われた部位の色が視認できるようになっている。これにより、各スリット５が各文字４と一体になって一つの意匠を形成している。
【００１８】
図２は、このラベル１を商品Ａの容器Ｂに貼り付けた状態を示す。この商品Ａは、プラスチック製の容器Ｂに液体状のローションを収容したもので、容器Ｂの本体部分は無色透明であるが、内容物であるローションは薄黄色を帯びた半透明色である。そして、ラベル１は容器Ｂの本体部分に貼り付けられており、そのスリット５および容器Ｂの本体部分を通してローションの色が視認でき、これによってラベル１ひいては商品Ａの意匠性が高まるようになっている。
【００１９】
このラベル１の製造方法は、まず、前記文字４等を印刷したラベル本体２を作製し、このラベル本体２の裏面に接着剤３を塗布したラベル１を剥離紙Ｓに貼り付ける。そして、スリット５と同じ幅のレーザ光線でラベル１を剥離紙Ｓとともに焼き抜くことにより、ラベル１にスリット５を空ける。このレーザ光線による焼き抜き工程では、レーザ光線の照射位置を制御する装置を用いており（図示省略）、この制御装置にラベル１の各スリット５の位置に合致する照射位置データを入力して、ラベル１を剥離紙Ｓとともに所定位置にセットしておけば、焼き抜き作業自体は全自動で行うことができる。
【００２０】
上述したように、このラベル１は、複数のスリット５を互いに近接するように空けて、これらの各スリット５を通して商品Ａのラベル１に覆われる部位の色を視認できるようにするとともに、各スリット５で意匠の一部を形成したものであるから、従来のスリットのないものや単純な形状の透孔をあけたものに比べて意匠性に優れている。また、その製造方法では、ラベル１を接着剤３で剥離紙Ｓに貼り付け、剥離紙Ｓとともにレーザ光線で焼き抜いてスリット５を空けるようにしたので、紙くずを発生させることなくラベル１に細かい意匠を精度よく形成することができる。さらに、商品Ａへの貼り付け作業の際には、ラベル１を剥離紙Ｓから剥離させてそのまま貼り付けられるので、接着剤を塗布する必要がなく効率よく作業できる。
【００２１】
図３は、第２の実施形態のラベル６を商品Ａ’の容器Ｂ’ の高さ方向中央部分に貼り付けた状態を示す。この商品Ａ’は、プラスチック製の容器Ｂ’にヘアリンスを収容したもので、容器Ｂ’は不透明の青色である。一方、ラベル６は、表面が水色のラベル本体７に、商品名を表すスリット８および複数で一つの意匠を形成するスリット９が空けられており、各スリット８、９を通して容器Ｂ’の色が視認できるようになっている。その商品名用スリット８はそれぞれが文字の各部を形成しており、意匠用スリット９はそれぞれが長手方向中央で交差して放射線状となるように配されている。その他の部分の構成および製造方法は第１の実施形態と同じである。このラベル６も、スリット８、９を空けたことによって意匠性の高いものとなっている。
【００２２】
上述した各実施形態ではラベル本体を紙製としたが、ラベル本体の材質は、少なくともスリットを空ける部位がスリットを空けやすいものであれば、どのようなものを採用してもよい。また、そのスリットの形成方法は、各実施形態のようにレーザ光線で焼き抜く方法を採ることが望ましいが、切刃等を用いることもできる。
【符号の説明】
【００２３】
１、６  ラベル
２、７  ラベル本体
３  接着剤
４  文字
５、８、９  スリット
Ａ、Ａ’  商品
Ｂ、Ｂ’  容器
Ｓ  剥離紙
【図１】
2010217510.tif 000003
【図２】
2010217510.tif 000004
【図３】
2010217510.tif 000005